(57)【要約】【課題】  通常においては開閉の必要がなく、使用者の利便性を維持しつつ、建物の開口部を目隠しする機能を有し、かつ、荷物等の搬入出時等にも問題とならない、着脱及び／又は開閉可能な開口部の目隠し装置を提供する。【解決手段】  建物開口部２００を外部の視線から隠蔽する目隠し装置４００であって、建物開口部２００の前面に建物から所定距離離隔して立設される一対の柱１０、２０と、一対の柱１０、２０の間に着脱及び／又は開閉可能に取り付けられる面材５０と、を備え、一対の柱１０、２０は、一対の柱１０、２０の間に開口部２００の投影面の幅方向中心線を含む位置に配置される。【選択図】      図２
2006226034.tif 000002
【特許請求の範囲】
【請求項１】
建物開口部を外部の視線から隠蔽する目隠し装置であって、
前記建物開口部の前面に前記建物から所定距離離隔して立設される一対の柱と、
前記一対の柱の間に着脱及び／又は開閉可能に取り付けられる面材と、を備え、
前記一対の柱は、該一対の柱の間に前記開口部の投影面の幅方向中心線を含む位置に配置されることを特徴とする、
建物開口部の目隠し装置。
【請求項２】
前記一対の柱の前記面材が取り付けられる側とは反対側に、他の面材を備えることを特徴とする、
請求項１に記載の建物開口部の目隠し装置。
【請求項３】
前記一対の柱の上端部から前記建物開口部上方の前記建物の壁に渡されるように取り付けられた天板を備えることを特徴とする、
請求項１又は２のいずれか一項に記載の、建物開口部の目隠し装置。
【発明の詳細な説明】
【技術分野】
【０００１】
本発明は、建物の玄関、バルコニー、テラス等、特に室外から室内が見えやすい開口部に用いられる建物開口部の目隠し装置に関する。
【背景技術】
【０００２】
限られた敷地の中に建物を建てる場合、庭やテラス等の快適空間をできるだけ広く確保したいという要望は多く、その分、庭やテラスに対して建物の反対側にある玄関や窓が、公道等の近くに設置されることが多くなってきている。玄関等の建物の開口部は、その性質上、室外から室内の様子を伺い知ることができ、プライバシー保護の観点からだけでなく、防犯の観点からも好ましくない。
【０００３】
そのため、公道等に面した玄関等の建物の開口部に室内を見え難くするための目隠し手段があれば、プライバシー保護等が可能である。
【０００４】
従来において、建物を含む敷地内外を分ける境界と玄関等の建物の開口部との距離を大きく取ることができる場合には、該敷地内外を分ける境界に塀等を配置し、該塀に設けられた開口部に開口部装置（いわゆる門扉）を取り付けることにより、開口部の目隠しは可能であった。
【０００５】
また、開口部の目隠し手段として、特許文献１には、玄関等の開口部を外部から見え難くするための目隠し用壁が開示されている。該目隠し用壁は、玄関等の開口部の上端よりも高い壁を、玄関から所定距離離隔した玄関の正面に配置し、該壁の下端部を、コンクリート基礎上に固定したものである。
【特許文献１】意匠登録第１１８６３７５号公報
【発明の開示】
【発明が解決しようとする課題】
【０００６】
しかし、上述のように、近年の住宅事情を考えると、玄関等の開口部が、敷地内外を分ける境界に近接してきており、該境界に塀等を設けることが好ましくない建物も少なくない。このような建物においては、玄関等の開口部を目隠しすることが困難であり、もしくは塀を設置し、該塀の開口部に門扉を取り付けた場合でも、該門扉は玄関の正面近傍に設置されるため、外出、帰宅の際に玄関と門扉を短い間に連続して操作し、両方の扉の開閉する必要があり、使用者にとって非常に煩雑である。
【０００７】
また、従来の目隠し用壁は、コンクリート基礎上に固定された壁等であり、該目隠し用壁が設置されると玄関の正面に壁ができるため、建物の開口部の目隠しは可能である一方、例えば長尺な荷物を玄関から搬入したいとき、目隠し用壁が障害となり、荷物の搬入出が困難となる場合が生じた。また、荷物だけでなく、例えば緊急時において人を乗せたタンカなどを運ぶ際にも、該壁が障害となり円滑な救急活動等を阻害する虞があった。また、特許文献１のように複数枚の壁を一定間隔に配置してある場合で、該間隔の隙間が広く配置されているときは該隙間から荷物等の搬入出はできるが、一方で、目隠しの機能が損なわれる可能性があった。
【０００８】
そこで、本発明は、かかる場合においても、使用者の利便性を維持しつつ、建物の開口部を目隠しする機能を有し、かつ、荷物等の搬入出時等にも問題を生じない、建物開口部の目隠し装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、建物（１０００）開口部（２００）を外部の視線から隠蔽する目隠し装置（４００）であって、建物開口部（２００）の前面に建物（１０００）から所定距離離隔して立設される一対の柱（１０、２０）と、一対の柱（１０、２０）の間に着脱及び／又は開閉可能に取り付けられる面材（５０）と、を備え、一対の柱（１０、２０）は、一対の柱（１０、２０）の間に開口部（２００）の投影面の幅方向中心線を含む位置に配置されることを特徴とする、建物開口部の目隠し装置（４００）を提供することにより、上記課題を解決するものである。
【００１１】
ここで「隠蔽する」には、完全に見えなくするという意味の他に、一部を見えなくする及び不明瞭にする等の「見え難くする」の意味も含むこととする。具体的に例としてどのような場合が挙げられるかについては、後に説明する。
【００１２】
請求項２の発明は、請求項１に記載の建物開口部の目隠し装置（４００）であって、一対の柱（１０、２０）の面材（５０）が取り付けられる側とは反対側に、他の面材（７１、８１）を備えることを特徴としている。
【００１３】
請求項３の発明は、請求項１又は請求項２のいずれか一項に記載の、建物開口部の目隠し装置（４００）であって、一対の柱（１０、２０）の上端部から前記建物開口部（２００）上方の建物の壁（１００）に渡されるように取り付けられた天板（９１）を備えることを特徴としている。
【００１４】
本発明の着脱可能な建物開口部の目隠し装置は、建物の開口部が住宅等の玄関であることに限らず、窓等であっても良い。また、開口部装置の内外が屋外と屋内の関係にある必要もなく、例えばビルの中の店舗の開口部などであっても良い。
【発明の効果】
【００１５】
請求項１の発明によれば、通常は、本発明の建物開口部の目隠し装置に面材を装着しておくことにより、該面材が、開口部を外部から隠し、プライバシー保護の効果を発揮する。さらに、プライバシー保護の問題だけでなく、開口部から室内が見えることにより賊等が室内の様子を事前に知りやすいという問題も考えられ、面材により開口部を隠すことによって防犯の効果も得ることができる。また、使用者は日常における開口部からの出入りの際には、面材を操作する必要がなく、別に常設されている開口部を利用して敷地内外の出入りができるので、出入の際における玄関扉等の開口部装置の操作は一度で済み、利便性が損なわれることはない。
【００１６】
一方、玄関等の建物開口部から例えば長尺な荷物を搬出する場合、開口部の正面近傍に壁等の障害物があると、荷物の一端がすでに障害物に接しているにもかかわらず他の一端はまだ室内から出ていないため、荷物が室外へ搬出できないことがある。このような場合においても、本発明の建物開口部の目隠し装置の面材は、該装置から容易に取り外し及び／又は開閉をすることができるので、開口部正面に新たな開口を形成し、搬出の障害とならずの作業を円滑に進めることができる。荷物搬出の場合だけではなく、荷物搬入の場合においても同様の効果がある。さらに、緊急時に人をタンカ等に乗せて運ぶ必要がある場合も、面材の取り外し及び／又は開閉により、救助、救急活動等を円滑に進めることができ、利便性のみではなく、生活の安心を確保する意味でも大きな効果を得ることができる。
【００１７】
以上のように、請求項１の発明にかかる建物開口部の目隠し装置は、建物の開口部が敷地外と隣接している場合においても設置可能である。また、着脱可能な面材を備えることにより、建物開口部を外部から隠し、日常には煩わしさを覚えることなく、さらに荷物の搬入出や緊急時における作業の円滑を補助することができる建物開口部の目隠し装置を提供することができる。
【００１８】
ここで面材が開口部を「隠す（隠蔽する）」には、完全に見えなくするという意味の他に、一部を見えなくする及び不明瞭にする等の「見え難くする」の意味も含む。例えば、面材が光を通さない１枚の板から構成されている場合は、開口部は完全に外部の視線から見えなくなる。また、面材が格子により構成されている場合は、開口部の一部を見えなくすることができる。さらに面材が半透明の材料から構成されている場合は、開口部は外からの視線に対して不明瞭になる。いずれの場合においても、本発明の目隠し装置の目的を達することができるので、「隠蔽する」には上述のような意味も含めることとした。
【００１９】
請求項２の発明によれば、請求項１に記載の建物開口部の目隠し装置における面材の横に他の面材を配置することにより、該面材の建物側に例えば自転車、傘などを置くことができ、室外に置きたいが、外部から見えるのは好ましくない物を目隠しすることができる。このとき、塀等を新たに設置する必要はなく、既設の柱に面材を配置するだけで上記目的を達することができ、さらには開口部の目隠し部とデザイン面で統一もはかれるので、意匠性にも優れている。以上のように、本発明は生活の快適性を向上し、建物全体としての美観を向上させる、建物開口部の目隠し装置を提供することができる。
【００２０】
請求項３の発明によれば、本発明の建物開口部の目隠し装置と建物の壁との間の上部に屋根が取り付けられ、雨や雪で住人等が濡れるのを防ぐことができる。これは、傘等の操作は室外の玄関等の正面近くで行われることを考えると、該場所に屋根があることにより、住人等が傘等の操作中に雨等により濡れずにすむという効果を有する。さらに、該屋根に電灯を取り付けることにより、防犯の効果も有する。以上のように、本発明は、生活の快適性向上及び防犯性を備えた、建物開口部の目隠し装置を提供することができる。
【００２１】
本発明のこのような作用及び利得は、次に説明する発明を実施するための最良の形態から明らかにされる。
【発明を実施するための最良の形態】
【００２２】
以下本発明を図面に示す実施形態に基づき説明する。
【００２３】
図１は、本発明の一実施形態にかかる建物開口部の目隠し装置４００が設置される建物１０００を室外側から示した外観斜視図である。建物１０００は、該建物１０００の壁１００に開口部２００を有しており、該開口部２００は開口部装置３００を備えている。本発明の建物開口部の目隠し装置４００（以下に「目隠し装置４００」と省略して記述することがある。）は、開口部２００の屋外側正面の、開口部２００と該開口部２００に近接した公道等との間に設置されている。
【００２４】
図２は、本発明の目隠し装置４００の主要部を示した斜視図である。建物の開口部２００の室外側に、所定距離離隔された位置に一対の柱１０、２０が略鉛直に立設されている。一対の柱１０、２０の位置は、開口部２００の投影面の幅方向中心線が一対の柱１０、２０の間（柱１０、２０の間に形成される開口を開口５００と記述することがある。）になるように決められる。これにより開口５００からの荷物等の搬入出が可能となる。柱１０、２０の間隔は、５００ｍｍ以上２０００ｍｍ以下であることが好ましい。上側取付け部材１１及び下側取付け部材１２が、柱１０の上部及び下部に設置されている。柱２０にも、上側取付け部材１１の略水平同じ位置に上側取付け部材（不図示）、及び下側取付け部材１２の略水平同じ位置に下側取付け部材（不図示）が、設置されている。そして、開口５００に、面材５０が着脱及び／又は開閉可能に取り付けられる。本実施形態の面材５０は、複数の縦材５１、５１、・・・と複数の横材５２、５３、５４とから構成され、横材５２、５３、５４の両端部は、複数の縦材５１、５１、・・・の両端の縦材よりも水平方向に突き出ている。横材５２の一端を柱１０の上側取付部材１１に、他端を柱２０の上側取付部材（不図示）に取り付け、さらに、横材５４の一端を柱１０の下側取付部材１２に、他端を柱２０の下側取付部材（不図示）に取り付けることにより、面材５０を開口５００に配置する。開口５００からの面材５０の着脱方法は後で説明する。
【００２５】
柱１０、２０の開口５００の反対側には、さらに他の柱７０、８０が柱１０及び柱２０と略一直線に並ぶように、立設される。さらに柱１０と柱７０との間には面材７１が、柱２０と柱８０との間には面材８１が取り付けられる。
【００２６】
柱１０、２０、７０、８０の上端部と、開口部２００の上方の建物の壁１００との間に、枠材１３、２３、７３、８３が渡されて配置されている。また、柱１０、２０、７０、８０の上部には横材９０が略水平に取り付けられ、該横材９０と枠材１３、２３、７３、８３及び建物の壁１００に囲まれた部位に天板９１、９１、９１が取り付けられる。
【００２７】
図３は、面材５０を柱１０及び柱２０へ装着し、開口５００に面材５０を配置したときの、目隠し装置４００の斜視図である。このように、面材５０を開口５００に配置することにより、開口部２００を外部から隠し、例えば開口部２００に設置された開口部装置（不図示）が開放された場合であっても、室内が見えにくくなる。このことは、プライバシー保護や防犯の観点から非常に好ましいことである。また、日常においては、柱８０、枠材８３、建物の壁１００及び地面が形成する開口又は、柱７０、枠材７３、建物の壁１００及び地面が形成する開口から出入りが自由であり、面材５０の操作をすることなく、開口部２００に備えられた開口部装置（不図示）のみの操作で外入出できるので、使用者の利便性を損なうことがない。本実施形態においては、面材５０が複数の縦材５１と複数の横材５２、５３、５４から構成されているものを示したが、面材は、外部から開口部２００を隠すという目的を達成するものであれば、特に限定されるものではない。例えば、円形、四角形等の形を抜いた面材や、格子状の面材、半透明の面材等でもよく、建物の外観から導き出せる意匠性に優れたデザインを選択することができる。
【００２８】
図２に示したように、面材５０を柱１０及び柱２０から取り外し、開口５００から面材５０を取り除くと、開口部２００の正面に、室外側へ通り抜けることができる新たな開口５００を形成する。例えば、室内から長尺な荷物を搬出する際、面材５０が開口５００に設置されたままであると、長尺な荷物の一端が面材５０に接したにもかかわらず他端はまだ室内から出ることができず、荷物を搬出できない場合がある。このようなとき、面材５０を開口５００から取り除くことで、長尺な荷物を障害なく円滑に室外側へと搬出する。室外側から長尺な荷物を搬入する場合も同様である。さらに、緊急時において、室内の人をタンカに乗せたまま室外へ出る必要があるとき、タンカの長さと面材５０の位置との関係で搬出ができないと、緊急を要するときには大きな問題となる。このような場合においても、面材５０を容易な操作で取り外し及び／又は開閉することにより円滑に作業を進めることができ、大きな効果を発揮する。以上のように本発明は、目隠しの機能、利便性及び非常時における対応性等の優れた効果を合わせ持つ建物開口部の目隠し装置４００を提供することができる。
【００２９】
面材７１、８１は、面材５０と同じ種類とする必要はなく、例えば、室内側に収納スペース備えた面材７１、８１であれば、使用者の利便性をさらに向上できる。また、面材５０、７１、８１の上部と建物１００との間に、天板９１、９１、９１が配置されているので、雨などの悪天候時においても、濡れることを避けながら傘等の操作をすることができ、生活の快適性も向上させることができる。
【００３０】
次に面材５０を着脱可能に柱１０及び柱２０に取り付ける機構について説明する。図４は、上側取付部材１１及びその周辺の拡大斜視図である。図５は下側取付部材１２及びその周辺の拡大斜視図である。図４のように上側取付部材１１は、柱１０の上部に取り付けられ、下側及び開口５００側に開口を有するコの字型部材である。柱２０の上部にも、下側及び開口５００側に開口を有する不図示のコの字型部材が上側取付部材１１と略水平位置に取り付けられている。図５のように、下側取付部材１２は、柱１０の下部に取り付けられた上側及び開口５００側に開口を有するコの字型を部材である。また、柱２０の下部にも、上側及び開口５００側に開口を有する不図示のコの字型をした部材が、下側取部材１２と略水平位置に取り付けられている。図２において、柱１０に取り付けた上側取付部材１１及び下側取付部材１２、柱２０に取り付けた上側取付部材（不図示）及び下側取付部材（不図示）は、その上下方向距離が面材５０の横材５２と横材５４との上下方向の距離より所定の距離だけ長くなるように取り付けられている。
【００３１】
図６は、面材５０を取り付ける途中の一場面示した斜視図である。本実施形態における面材５０の開口５００への配置は、柱１０及び柱２０の取り付けられたそれぞれの上側取付部材と下側取付部材、横材５２、５４の端部を利用したいわゆるケンドン方式によって行われる。具体的な方法は以下の通りである。最初に図２のように、面材５０が柱１０及び柱２０に取り付けられていない状態から、横材５２の端部を２つの上側取付部材の開口から該部材に挿入し（図６）、面材５０を上に保持しつつ横材５４を開口５００へ配置し、面材５０を持ち上げる力を解放して面材５０が重力により下方へ移動すると、横材５４両端部は下側取付部材のコの字内面に接するように差し込まれる。このとき面材５０が下方へ移動しても横財５２は上側取付部材の中から外れないように、横材５２と横材５４との距離を設定してあるので、この方式により、面材５０は開口５００に配置できる。逆に面材５０を、柱１０及び柱２０から取り外すときは、上記操作を逆の順序で操作すれば、面材５０は上側取付部材及び下側取付部材から取り外され、面材５０が開口５００から取り除かれる。以上のような機構により、本発明の目隠し装置４００からの面材５０の着脱を可能としている。
【００３２】
着脱機構は、本実施形態で示した方法に限られる必要はなく、開口５００から面材５０を容易に取り除くという目的を達する方法であれば特に限定されない。例えば、面材５０の１辺をいずれか一方の柱に回動自由に取り付けても良い。
【００３３】
面材及び柱の材質は、特に限定されるものではないが、着脱操作をすることを考えると、比較的軽量であることが好ましい。考えられる材料の例としては、アルミニウム等の金属及び樹脂、木材が挙げられる。面材のデザインも開口部を見えにくくするという目的を達するものであれば、特に限定されない。例えば、格子状の面材や半透明のパネル等が挙げられる。
【００３４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う建物開口部の目隠し装置もまた本発明の技術的範囲に包含されるものとして理解されなければならない。
【図面の簡単な説明】
【００３５】
【図１】本発明の着脱可能な建物開口部の目隠し装置を備えた建物を示す外観斜視図である。
【図２】本発明の着脱可能な建物開口部の目隠し装置の面材非装着時における、各構成要素を示す斜視図である。
【図３】本発明の着脱可能な建物開口部の目隠し装置の面材装着時における、各構成要素を示す斜視図である。
【図４】上側取付部材周辺を示す拡大斜視図である。
【図５】下側取付部材周辺を示す拡大斜視図である。
【図６】本発明の着脱可能な建物開口部の目隠し装置の面材装着途中の一場面を示す斜視図である。
【符号の説明】
【００３６】
１０  柱
１１  上側固定部材
１２  下側固定部材
１３  枠材
２０  柱
２３  枠材
５０  面材
５１  縦材
５２  横材
５３  横材
５４  横材
７０  柱
７３  枠材
７１  面材
８０  柱
８１  面材
８３  枠材
９０  横材
９１  天板
１００  建物の壁
２００  開口部
３００  開口部装置
４００  建物開口部の目隠し装置
５００  開口
１０００  建物
【図１】
2006226034.tif 000003
【図２】
2006226034.tif 000004
【図３】
2006226034.tif 000005
【図４】
2006226034.tif 000006
【図５】
2006226034.tif 000007
【図６】
2006226034.tif 000008